(57)【要約】【課題】燃料電池用のセルの自重による反りを抑制した燃料電池用のセルの製造方法を提供する。【解決手段】燃料電池用のセル１の製造方法であって、セル１’を、熱プレス機７０の上型５０と下型６０との間に配置する工程と、セル１’を熱プレスする熱プレス工程と、熱プレス工程後に、下型６０に対して上型５０を上昇させた後、下型６０からセル１を脱型する脱型工程と、を含む。下型６０は、金属材料からなる下型本体６１と、下型６０に配置された接合体２を含むセル中央部９を支持しながら下型本体６１に対して上昇する、金属材料よりも熱伝導性の低い材料からなる支持体６２と、を備えている。脱型工程では、支持体６２でセル中央部９を支持しながら、下型本体６１から支持体６２を上昇させることにより、下型本体６１からセル１を脱型する。【選択図】図４
2019050112.tif 000002
【特許請求の範囲】
【請求項１】
燃料電池用のセルの製造方法であって、
電解質膜の両面に電極層が積層され、前記電極層にガス拡散層がさらに積層された接合体の周囲に、前記接合体を支持する熱可塑性樹脂からなる樹脂枠体を配置し、前記樹脂枠体と共に前記接合体を一対の金属製のセパレータで挟み込んだセルを、熱プレス機の上型と下型との間に配置する配置工程と、
前記熱可塑性樹脂の軟化点以上で少なくとも前記樹脂枠体を加熱しながら、前記上型と前記下型とにより、前記セルを挟み込んで、熱プレスする熱プレス工程と、
前記熱プレス工程後に、前記下型に対して前記上型を上昇させた後、前記下型から前記セルを脱型する脱型工程と、を含むものであり、
前記下型は、金属材料からなる下型本体と、前記下型に配置された前記セルの前記接合体を含むセル中央部を支持しながら前記下型本体に対して上昇する、前記金属材料よりも熱伝導性の低い材料からなる支持体と、を備えており、
前記脱型工程において、前記支持体でセル中央部を支持しながら、前記下型本体から前記支持体を上昇させることにより、前記下型本体から前記セルを押し上げることを特徴とする燃料電池用のセルの製造方法。
【発明の詳細な説明】
【技術分野】
【０００１】
本発明は、燃料電池用のセルの製造方法に関する。
【背景技術】
【０００２】
固体高分子型燃料電池の燃料電池用のセルは、イオン透過性の電解質膜と、該電解質膜を挟持するアノード側触媒層（電極層）およびカソード側触媒層（電極層）とからなる膜電極接合体（ＭＥＡ：Ｍｅｍｂｒａｎｅ  Ｅｌｅｃｔｒｏｄｅ  Ａｓｓｅｍｂｌｙ）を備えている。ＭＥＡの両側には、燃料ガスもしくは酸化剤ガスを提供するとともに電気化学反応によって生じた電気を集電するためのガス拡散層（ＧＤＬ：Ｇａｓ  Ｄｉｆｆｕｓｉｏｎ  Ｌａｙｅｒ）が形成されている。ＧＤＬが両側に配置された膜電極接合体は、膜電極ガス拡散層接合体（ＭＥＧＡ：Ｍｅｍｂｒａｎｅ  Ｅｌｅｃｔｒｏｄｅ  ＆  Ｇａｓ  Ｄｉｆｆｕｓｉｏｎ  Ｌａｙｅｒ  Ａｓｓｅｍｂｌｙ）と称され、本明細書では、これを接合体と称する。
【０００３】
このような接合体を有する燃料電池用のセルとして、たとえば、特許文献１には、接合体と、接合体の周囲に配置された熱可塑性樹脂からなる樹脂枠体と、樹脂枠体と共に接合体を挟持した一対の金属製のセパレータと、を備えた燃料電池用のセルが開示されている。
【０００４】
このような燃料電池用のセルを製造する際には、接合体の周囲に樹脂枠体を配置し、樹脂枠体と共に接合体をセパレータで挟み込んだ状態で、熱プレスを行うことにより、これらが一体化されるのが一般的である。
【先行技術文献】
【特許文献】
【０００５】
【特許文献１】特開２０１６−１６２６５１号公報
【発明の概要】
【発明が解決しようとする課題】
【０００６】
しかしながら、タクトタイム短縮などの理由から、熱プレス後、樹脂枠体を構成する熱可塑性樹脂が放冷などで温度低下し、これが硬化する前に、燃料電池用のセルの端部を把持して熱プレス機の下型から燃料電池用のセルを脱型することがある。この場合、熱可塑性樹脂がまだ軟化している状態であるため、燃料電池用のセルの自重により、燃料電池用のセルは下向きに湾曲することがある。このような湾曲状態のまま、樹脂枠体を構成する熱可塑性樹脂が硬化すると、結果として燃料電池用のセルが湾曲した状態が保持され、反った状態の燃料電池用セルを得ることになる。
【０００７】
本発明は上記点に鑑みてなされたものであり、本発明では、熱プレス後に、燃料電池用のセルの自重による反りを抑制することができる燃料電池用のセルの製造方法を提供する。
【課題を解決するための手段】
【０００８】
上記課題を解決するために、発明者らが、鋭意検討を重ねた結果、セルを下型から脱型する際に、接合体を含むセル中央部を下方より支え続ければ、セル中央部の自重によるセルの反りを防止することができると考えた。
【０００９】
本発明は、このような考えに基づいてなされたものであり、本発明は、燃料電池用のセルの製造方法であって、電解質膜の両面に電極層が積層され、前記電極層にガス拡散層がさらに積層された接合体の周囲に、前記接合体を支持する熱可塑性樹脂からなる樹脂枠体を配置し、前記樹脂枠体と共に前記接合体を一対の金属製のセパレータで挟み込んだセルを、熱プレス機の上型と下型との間に配置する配置工程と、前記熱可塑性樹脂の軟化点以上で少なくとも前記樹脂枠体を加熱しながら、前記上型と前記下型とにより、前記セルを挟み込んで、熱プレスする熱プレス工程と、前記熱プレス工程後に、前記下型に対して前記上型を上昇させた後、前記下型から前記セルを脱型する脱型工程と、を含むものであり、前記下型は、金属材料からなる下型本体と、前記下型に配置された前記セルの前記接合体を含むセル中央部を支持しながら前記下型本体に対して上昇する、前記金属材料よりも熱伝導性の低い材料からなる支持体と、を備えており、前記脱型工程において、前記支持体でセル中央部を支持しながら、前記下型本体から前記支持体を上昇させることにより、前記下型本体から前記セルを押し上げることを特徴とする。
【発明の効果】
【００１０】
本発明によれば、脱型工程において、支持体で膜電極ガス拡散層接合体を含むセル中央部を支持しながら、下型本体から支持体を上昇させる。これにより、樹脂枠体を構成する熱可塑性樹脂が硬化する前であっても、燃料電池用のセルの自重による反りを防止できる。
【００１１】
また、支持体が、下型本体の金属材料よりも熱伝導性の低い材料からなるため、熱プレス時に、下型本体の熱が、下型本体から支持体に伝わり難い。このため、熱プレス工程では、支持体の温度上昇を抑え、脱型工程後に、支持体からの熱により、セル中央部を介して樹脂枠体が加熱されることを抑えることができる。これにより、樹脂枠体の熱可塑性樹脂の温度を速やかに下げることができ、これを硬化させることができる。
【図面の簡単な説明】
【００１２】
【図１】（ａ）は、本実施形態に係る熱プレス前後のセルの模式的平面図であり、（ｂ）は、（ａ）に示すＡ−Ａ線に沿った矢視断面図であり、（ｃ）は、（ａ）に示すＢ−Ｂ線に沿った矢視断面図であり、（ｄ）は、（ｃ）に示すＣ部の模式的な拡大断面図である。
【図２】（ａ）は、本実施形態のセルが設置されたセル搬送装置の模式的な平面図であり、（ｂ）は、（ａ）に示すＤ−Ｄ線に沿った矢視断面図である。
【図３】本実施形態の熱プレス工程を説明する模式的概念図である。
【図４】本実施形態の脱型工程を説明する模式的概念図である。
【図５】従来の脱型工程を説明する模式的概念図である。
【発明を実施するための形態】
【００１３】
以下に、図１〜５を参照しながら本発明の実施形態に係る燃料電池用のセルの製造方法について説明する。
【００１４】
図１（ａ）は、本実施形態に係る熱プレス前後のセル１の模式的平面図であり、図１（ｂ）は、図１（ａ）に示すＡ−Ａ線に沿った矢視断面図であり、図１（ｃ）は、図１（ａ）に示すＢ−Ｂ線に沿った矢視断面図であり、図１（ｄ）は、図１（ｃ）に示すＣ部の模式的な拡大断面図である。
【００１５】
本実施形態では、熱プレス前のセル１’は、平面視において略長方形の形状であり、熱プレス後の燃料電池用のセル１も、プレス成形により若干の形状は異なるが、各部材の配置状態は略同じである。なお、熱プレス前後のセルを構成する各部材を以下の簡単に説明する。本願の明細書および図面では、熱プレス前のセルを、セル１’とし、熱プレス後のセル（すなわち、燃料電池用のセル）を、セル１として表記している。
【００１６】
熱プレス前のセル１’は、接合体２と、その周囲に配置された樹脂枠体８と、樹脂枠体８と共に接合体２を挟み込んだ一対の金属製のセパレータ３、３と、を備えており、これを熱プレスすることにより、燃料電池用のセル１を得ることができる。
【００１７】
熱プレス後のセル１において、接合体２は、膜電極接合体（ＭＥＡ）４と、この両面に積層されたガス拡散層７、７とを備えている。接合体２は、上述したように膜電極ガス拡散層接合体（ＭＥＧＡ）と称され、燃料電池の発電部の機能を果たす。なお、プレス前のセル１’には、予め準備された接合体２が、配置されている。
【００１８】
膜電極接合体４は、電解質膜５と、電解質膜５の両面に積層されたアノード側触媒層（電極層）６およびカソード側触媒層（電極層）６とからなる。電解質膜５は、固体高分子材料で形成されたプロトン伝導性を有したイオン交換膜であり、各電極層６は、白金などの触媒をカーボン粒子に担持した例えば多孔質のカーボン層である。
【００１９】
各ガス拡散層７は、膜電極接合体４の各電極層６にさらに積層されており、燃料ガスもしくは酸化剤ガスを電極層６に供給するとともに、これらの電極層６で電気化学反応によって生じた電気を集電するためのものである。各ガス拡散層７は、例えばカーボンペーパ若しくはカーボンクロス等のカーボン多孔質体、または、金属メッシュ若しくは発泡金属等の金属多孔質体などのガス透過性を有する導電性部材によって形成される。
【００２０】
樹脂枠体８は、接合体２を支持するものであり、接合体２の周囲に配置されるものである。本実施形態では、樹脂枠体８は、接合体２の形状に応じて矩形状に刳り貫かれており、外形は略長方形の形状である。樹脂枠体８の内側縁と、各接合体２の外側縁とは、例えば、熱プレス前に予め接着剤を介して接着されていてもよく、熱プレス時に樹脂枠体８の一部（被覆層）を、接合体２に融着することにより、樹脂枠体８の内側縁と、各接合体２の外側縁を接着してもよい。
【００２１】
図には示していないが、樹脂枠体８は、３層の積層構造であり、芯材と、その両面に被覆された被覆層からなる。後述する熱プレス工程において、被覆層が軟化して、各セパレータ３に樹脂枠体８が接着される。芯材は、ポリエチレンナフタレート系樹脂（ＰＥＮ）、などの電気絶縁性及びガス不透過性を有する熱可塑性樹脂ならなり、被覆層は、各セパレータ３に接着性を有した熱可塑性樹脂からなり、ポリプロピレン樹脂（ＰＰ）などを挙げることができる。なお、樹脂枠体８が、被覆層を構成する熱可塑性樹脂からなってもよい。
【００２２】
なお、樹脂枠体８にセパレータ３を挟み込んだ状態の樹脂枠体８およびセパレータ３の短辺方向の両側には、貫通孔２５、２５、…が形成されている。これらの貫通孔２５、２５、…は、熱プレス後のセル１を重ね合わせて燃料電池スタック（不図示）を製造した際に、酸化剤ガス、燃料ガス、および冷却水ガスを各セルに供給するマニホールドとして機能する。
【００２３】
本実施形態では、図１（ｄ）に示すように、各セパレータ３は、波形に形成されている。各セパレータ３の形状は、波の形状が等脚台形をなし、かつ波の頂部が平坦で、この頂部の両端が等しい角度をなして角張っている。つまり、各セパレータ３は、表側から見ても裏側から見ても、ほぼ同じ形状である。接合体２の一方のガス拡散層７には、セパレータ３の頂部が面接触し、接合体２の他方のガス拡散層７には、セパレータ３の頂部が面接触している。
【００２４】
一方の電極層（すなわちアノード）６側のガス拡散層７とセパレータ３との間に画成されるガス流路２１は、燃料ガスが流通する流路である。また、他方の電極層（すなわちカソード）６側のガス拡散層７とセパレータ３との間に画成されるガス流路２２は、酸化剤ガスが流通する流路である。熱プレス後のセル１を介して対向する一方のガス流路２１に燃料ガスが供給され、ガス流路２２に酸化剤ガスが供給されると、セル１内で電気化学反応が生じて起電力が生じる。
【００２５】
さらに、隣接する２つのセル１間で面接触するセパレータ３，３の間に画成される空間２３（図１（ｄ）を参照）には、セル１を冷却する冷媒としての水が流通する。セパレータ３，３は、酸化剤ガス、燃料ガス、冷却水を透過させず、導電性を有する金属材料で形成され、例えば、ステンレスまたはチタンなどを挙げることができる。
【００２６】
本実施形態では、図１（ａ）〜（ｄ）に示すように各部材が配置されたセル１’に熱プレスを行うことにより、樹脂枠体８を構成する熱可塑性樹脂を軟化させて、樹脂枠体８を成形するとともに、樹脂枠体８をセパレータ３に接着する。その後、熱プレス後の樹脂枠体８を放冷または強制冷却することにより、樹脂枠体８を構成する熱可塑性樹脂の温度を低下させ、熱可塑性樹脂を硬化させる。これにより、各セパレータ３と、樹脂枠体８と、接合体２とが一体化された、燃料電池用のセル１を得ることができる。以下に、その詳細を説明する。
【００２７】
図２（ａ）は、本実施形態の熱プレス前のセル１’が設置されたセル搬送装置４０の模式的な平面図であり、図２（ｂ）は、図（ａ）に示すＤ−Ｄ線に沿った矢視断面図である。図３および図４は、それぞれ、本実施形態の熱プレス工程および脱型工程を説明する模式的概念図である。図５は、従来の脱型工程を説明する模式的概念図である。
【００２８】
１．配置工程について
まず、図１（ａ）〜（ｃ）に示す熱プレス前のセル１’を熱プレス機７０の上型５０と、下型６０との間に配置する（配置工程）。具体的には、上述したように、接合体２の周囲に、接合体２を支持する樹脂枠体８を配置し、樹脂枠体８と共に接合体２を一対の金属製のセパレータ３、３で挟み込んだセル１’を準備する。準備したセル１’をセル搬送装置４０に装着し、熱プレス機７０の上型５０と下型６０との間に配置する。
【００２９】
セル搬送装置４０は、中央に開口部を有する略長方形状の搬送枠４４と、短辺側の搬送枠４４の内側に支持されたチャック部材４１、４１と、を備え、各チャック部材４１には、熱プレス前のセル１’を挟む把持爪４２が設けられている。これにより、熱プレス前のセル１’の四隅を、各把持爪４２，４２で挟持し、セル搬送装置４０に、熱プレス前のセル１’を装着することができる。
【００３０】
また、各チャック部材４１の上型５０に対向する面には、後述する上型用位置合わせピン５７が挿入される上型用位置合わせ穴４７が設けられ、一方各チャック部材４１の下型６０に対向する面には、後述する下型用位置合わせピン６８が挿入される下型用位置合わせ穴４８が設けられている。
【００３１】
このような熱プレス前のセル１’が装着されたセル搬送装置４０を、熱プレス機７０まで搬送し、搬送枠４４の短辺側の両端部をそれぞれ下型６０に備えられた２つの押し上げバネ材６５の先端部に設置する。
【００３２】
より具体的には、後述する熱プレス工程において、２つの上型用位置合わせピン５７、５７が、上型用位置合わせ穴４７、４７に挿入され、下型用位置合わせ穴４８、４８に下型用位置合わせピン６８、６８が挿入されるように、セル搬送装置４０を配置する。これにより、次の工程である熱プレス工程において、上型５０および下型６０に対して適切な位置で、上型５０および下型６０でセル１’を熱プレスすることができる。
【００３３】
２．熱プレス工程について
熱プレス工程では、図３に示すように、樹脂枠体８を構成する熱可塑性樹脂の軟化点以上で少なくとも樹脂枠体８を加熱しながら、上型５０と下型６０とにより、熱プレス前のセル１’を熱プレスする。
【００３４】
ここで、熱プレス機７０に備えられている上型５０および下型６０の構成について説明する。上型５０は、上述した上型用位置合わせ穴４７、４７に挿入される２つの上型用位置合わせピン５７、５７と、熱プレス前のセル１’を押圧する押圧部５１と、を備えている。
【００３５】
一方、下型６０は、上述した下型用位置合わせ穴４８、４８に挿入される２つの下型用位置合わせピン６８、６８と、２つの押し上げバネ材６５、６５と、を少なくとも備えている。押し上げバネ材６５、６５は、セル搬送装置４０を押し上げるものである。押し上げバネ材６５、６５の基端部は下型６０に固定され、その先端部は上述の如く搬送枠４４を支持する。
【００３６】
上型用位置合わせピン５７、５７が上型用位置合わせ穴４７、４７に挿入されると、押圧部５１がセル１’の上面に密着し、セル搬送装置４０が下降し始めるとともに、搬送枠４４を支持した状態で、押し上げバネ材６５が縮み始める。
【００３７】
下型用位置合わせ穴４８、４８に下型用位置合わせピン６８、６８が挿入されるように、引き続き所定の加圧力Ｐで上型５０が押し下げられると、セル搬送装置４０の下降とともに押し上げバネ材６５が縮み続ける。最終的に下型用位置合わせ穴４８、４８に下型用位置合わせピン６８、６８がはめ込まれることにより、セル１’の上面および下面がそれぞれ上型５０と下型６０とに密着し、セル１’が加圧される。
【００３８】
このとき、上型５０と下型６０とは、配置された加熱部（不図示）で、予め加熱された状態が維持されており、上型５０と下型６０とによるセル１’の加圧により、これらが密着し、上型５０および下型６０で、樹脂枠体８を構成する熱可塑性樹脂の軟化点（ガラス転移点）以上の温度に加熱する。具体的には、上述した樹脂枠体８の芯材および被覆層を構成する熱可塑性樹脂の双方の軟化が開始する温度以上で、樹脂枠体８を含むセル１’を加熱する。
【００３９】
このような熱プレスを行うことにより、樹脂枠体８を構成する熱可塑性樹脂が軟化する。本実施形態では、樹脂枠体８の両面側では上述した被覆層が軟化し、これがセパレータ３、３に接着される。例えば、樹脂枠体８が、被覆層を構成する熱可塑性樹脂からなる場合には、その表層も軟化し、これがセパレータ３、３に接着される。このようにして熱プレスされたセル１を下型６０から脱型するために次の工程を行う。
【００４０】
ここで、上述した樹脂枠体８を構成する熱可塑性樹脂は、熱プレス工程直後ではまだ軟化している状態にある。熱可塑性樹脂が軟化した状態で、図５に示すように、セル１が装着された搬送枠４４の両側を下型６０の押し上げバネ材６５、６５で持ち上げると、セル１の自重により、セル１は徐々に下向きに湾曲する。このような状態で樹脂枠体８の熱可塑性樹脂が放冷等により硬化すると、この湾曲した状態が保持され、反った状態のセルを得ることになる。
【００４１】
そこで、このようなセル１の反りを防止するために、本実施形態では、後述するように下型６０に備えられた支持体６２でセル１のセル中央部９を支持しながら、セル１を下型６０から脱型する。以下、本実施形態における脱型工程の詳細を説明する。
【００４２】
３．脱型工程について
ここで、下型６０の構成について簡単に説明する。下型６０は、熱プレス工程で説明した構成に加えて、下型本体６１と、下型６０に配置されたセル１の接合体２を含むセル中央部９を支持しながら下型本体６１に対して上昇する支持体６２とをさらに、備えている。
【００４３】
ここで、下型本体６１は、金属材料からなり、加熱前のセル１’を加熱できるものであれば特に限定されるものではなく、例えば、鋳鉄、鋼、アルミニウム、銅などを挙げることができる。下型本体６１には、加熱前のセル１’を加熱する加熱部（不図示）が取り付けられている。
【００４４】
一方、支持体６２は、下型本体６１を構成する金属材料より熱伝導性（熱伝導率）の低い材料からなる。これにより、熱プレス時に下型本体６１からの熱を、支持体６２に伝導することを抑制する（断熱する）ことができる。
【００４５】
支持体６２の材料は、このような機能を有するものであれば、特に限定されるものではなく、例えば、支持体６２を構成する材料としては、エポキシ樹脂などの熱硬化性樹脂を挙げることができる。支持体６２に熱硬化性樹脂を用いることにより、下型本体６１からの熱により、支持体６２は変形せずに、その形状を保持することができる。
【００４６】
支持体６２は、熱プレス前には、下型本体６１に収容されており、支持体６２が、セル１’に接触する部分の大きさは、接合体２の大きさと同じであることが好ましい。このような大きさを有することにより、上述した材料からなる支持体６２により、熱プレス時の接合体２が加熱されることを低減し、支持体６２で接合体２を含むセル中央部９を支持することができる。
【００４７】
さらに、支持体６２の下部は、支持体６２を昇降させる昇降装置（不図示）に支持されている。昇降装置により、本工程では後述するように、下型本体６１に対して支持体６２を上昇させることができ、次の熱プレス時までの間に、下型本体６１内に支持体６２を収容することができる。なお、昇降装置の代わりに、バネ等により、支持体６２を押し上げ、熱プレス時に、上型５０によりセル１’を介して、支持体６２を押し下げてもよい。
【００４８】
このような構成を有する下型６０を用いて、本工程では、図４に示すように、上述した熱プレス工程後に、下型６０に対して上型５０を上昇させた後、下型６０からセル１を脱型する。
【００４９】
具体的には、まず、上型５０を下型６０に対して上昇させると、２つの上型用位置合わせピン５７、５７が上型用位置合わせ穴４７、４７から抜ける。上型５０の上昇により、押圧部５１による加圧力Ｐが無くなるため、収縮していた押し上げバネ材６５、６５が伸長し、搬送枠４４が押し上げられる。この際、搬送枠４４が上昇するとともに下型用位置合わせ穴４８、４８から下型用位置合わせピン６８、６８が外れる。
【００５０】
ここで、本工程では、搬送枠４４が上昇し始めるとともに、支持体６２が接合体２を含むセル中央部９を支持しながら、支持体６２を昇降装置で上昇させる。押し上げバネ材６５、６５により搬送枠４４が押し上げられる押し上げ位置（上述した熱プレス前のセル１’が上型５０と下型６０との間に配置された位置）まで、接合体２を含むセル中央部９を支持しながら、支持体６２を、昇降装置で上昇させる。支持体６２は、搬送枠４４の押し上げ位置で、所定時間、接合体２を含むセル中央部９を支持し続ける。
【００５１】
これにより、支持体６２によりセル中央部９を支持した状態で、樹脂枠体８を構成する熱可塑性樹脂を放冷等により硬化させることができ、各セパレータ３と、樹脂枠体８と、接合体２とが一体化となった燃料電池用のセル１が製造できる。
【００５２】
なお、本実施形態では、脱型工程後、樹脂枠体８を構成する熱可塑性樹脂が、放冷等により、その軟化点温度未満となる（硬化が開始する）までの間、接合体２を含むセル中央部９を支持し続けることが好ましい。これにより、樹脂枠体８を構成する熱可塑性樹脂が硬化する前に下型６０からセル１を脱型しても、セル１の自重に起因した反りをより確実に抑制することができる。
【００５３】
また、本実施形態によれば、支持体６２が、下型本体６１の金属材料よりも熱伝導性の低い材料からなるため、熱プレス時に、下型本体６１の熱が、下型本体６１から支持体６２に伝わり難い。このため、熱プレス工程では、支持体６２の温度上昇を抑え、脱型工程後に、支持体６２からの熱により樹脂枠体８が加熱されることを抑え、樹脂枠体の熱可塑性樹脂を効率良く放冷し、これを硬化させることができる。
【００５４】
以上、本発明の一実施形態について詳述したが、本発明は、前記の実施形態に限定されるものではなく、特許請求の範囲に記載された本発明の精神を逸脱しない範囲で、種々の設計変更を行うことができるものである。
【符号の説明】
【００５５】
１：燃料電池用のセル、２：接合体、３：セパレータ、５：電解質膜、６：電極層、７：ガス拡散層、８：樹脂枠体、５０：上型、６０：下型、６１：下型本体、６２：支持体、９：セル中央部
【図１】
2019050112.tif 000003
【図２】
2019050112.tif 000004
【図３】
2019050112.tif 000005
【図４】
2019050112.tif 000006
【図５】
2019050112.tif 000007